(57)【要約】【目的】本発明は、腰痛を和らげ腰を楽にさせる腰痛治療用ガードルの改良に関する発明である。【構成】本発明は、前面に逆三角形状の押え部を設けたガードル本体の左端の中央には先端部を二股状に形成するとともに左上下係止部材を取り付けスリットを形成した左伸縮バンドを設け、前記ガードル本体の右端の中央には先端部に右係止部材を取り付けスリットを形成した右伸縮バンドを設けたことを特徴とする腰痛治療用ガードルの構成とした。【選択図】　　図１
2004089566.tif 000002
【特許請求の範囲】
【請求項１】
前面に逆三角形状の押え部を設けたガードル本体の左端の中央には先端部を二股状に形成するとともに左上下係止部材を取り付けスリットを形成した左伸縮バンドを設け、前記ガードル本体の右端の中央には先端部に右係止部材を取り付けスリットを形成した右伸縮バンドを設けたことを特徴とする腰痛治療用ガードル。
【請求項２】
逆三角形状の押え部の下端の股間部に開口部を設けたことを特徴とする請求項１に記載の腰痛治療用ガードル。
【請求項３】
左右伸縮バンドに伸縮部を設けたことを特徴とする請求項１又は請求項２に記載の腰痛治療用ガードル。
【発明の詳細な説明】
【０００１】
【産業上の技術分野】
本発明は、腰痛を和らげ腰を楽にさせる腰痛治療用ガードルの改良に関する発明である。
【０００２】
【従来の技術】
従来、実用新案登録公報第２０１０８６６号に掲載されている「体型補正用ガードル」及び特開平１０−８３０３号の公開特許公報に掲載されている「ガードル」は存在している。
【０００３】
【発明が解決しようとする課題】
しかしながら、従来のガードルを装着する対象は、大殿筋の機能低下や損傷などから腰痛をもった大人から子供、老若男女等が対象である。一般に市販されているガードルは、ＬＭＳなどの標準サイズの規格品だけで個人個人の体型にぴったり微調節することができるガードルがなく、しかも、一日中装着した場合や歩くなどの行動しなければならない場合に装着部分からずれが生じ再度重度の腰痛になる。
【０００４】
また、太った人が装着し、特に座ったりする場合、腹部が衣類と腹部のみの調節機能しかないガードルのため、２重に圧迫され極めて窮屈で不快である。
【０００５】
更に、従来のガードルの目的は、体型の補整を主目的とするものであり、腰痛を短期間に治療すること、排尿時迅速に対処できること、臀部を上げることで下半身を美しく見せる美容効果の機能を上げること、以上の項目に挙げた機能性に優れたことを目的とするガードルは存在しなかった。
【０００６】
そこで、本発明は、着用していても圧迫感がなく快適に装着でき、体型を補整するとともに腰痛箇所の要部に限らず腰全体に予防から治癒、リハビリまで含めた包括医療できるため極めて短期間に治療・完治し、排尿時の利便性を向上し、下半身を極めて美しく見せる美容効果の機能性に優れた腰痛治療用ガードルを提供することを目的とするものである。
【０００７】
【課題を解決するための手段】
本発明は、上記の課題を解決するために、前面に逆三角形状の押え部を設けたガードル本体の左端の中央には先端部を二股状に形成するとともに左上下係止部材を取り付けスリットを形成した左伸縮バンドを設け、前記ガードル本体の右端の中央には先端部に右係止部材を取り付けスリットを形成した右伸縮バンドを設けたことを特徴とする腰痛治療用ガードルの構成とした。
【０００８】
【実施例】
次に、添付図面に基づいて本発明である腰痛治療用ガードルについて詳細に説明する。
【０００９】
図１から図４までは、本発明である腰痛治療用ガードルを示した図である。図１は本発明である腰痛治療用ガードルの伸縮バンドを巻き付ける前の正面図、図２は伸縮バンドを巻き付ける前の背面図、図３は伸縮バンドを巻き付けた後の正面図、図４は伸縮バンドを巻き付けた後の背面図である。
【００１０】
図１に示すように、本発明である腰痛治療用ガードル１は、右足の右大腿部を挿入する右足挿通口２ｈが形成されている右大腿部２ｇ及び左足の左足大腿部を挿入する左足挿通口２ｆが形成されている左大腿部２ｅを有するガードル本体２と前記ガードル本体２の左端部及び右端部に取り付けられている左右伸縮バンド３、４からなる。
【００１１】
ガードル本体２の上部には、複数の半円状の飾り付きの帯２ａが取り付けられている。また、ガードル本体２の正面には前記帯２ａから股間部２ｄにかけて全体が逆三角形状の押え部２ｊが設けてある。前記逆三角形状の押え部２ｊには、厚芯が内部に挿入されている左右繋ぎ目２ｂ、２ｃがある。
【００１２】
そして、前記ガードル本体２の左端のほぼ中央部には、伸縮可能な左伸縮バンド３が取り付けられている。左伸縮バンド３の先端部には伸縮部３ｈがあり、前記伸縮部３ｈは二股形状に分かれている。そして、左伸縮バンド３は、左端が左上がりとなるようにガードル本体２の左端の中央部に逢着してある。
【００１３】
また、図１に示すように、前記ガードル本体２の右端の中央部には、伸縮可能な右伸縮バンド４が逢着されている。右伸縮バンド４の先端部４ａには伸縮部４ｆがあり、伸縮部４ｆには長方形状の右係止部材４ｂが取り付けられている。そして、右端が右上がりとなるようにガードル本体２の右端のほぼ中央部に取り付けた右伸縮バンド４がある。
【００１４】
左右伸縮バンド３、４の中央部にはスリット３ｅ、４ｅが形成されている。そして、腰痛治療用ガードル１のガードル本体２に取り付けられている左右伸縮バンド３、４の素材は、伸縮部３ｊ、４ｈとメッシュ部３ｉ、４ｇが交互編成されていて伸縮可能な素材である。
【００１５】
伸縮部３ｊ、４ｈは厚さが約２ｍｍ程度であり、メッシュ部３ｉ、４ｇは約１ｍｍ程度でる。メッシュ部３ｉ、４ｇは、特に通気性を良くするためにメッシュ状に加工されていて多数の孔が形成されている。
【００１６】
このように、本例の腰痛治療用ガードル１の左右伸縮バンド３、４は、極めて伸縮性及び通気性がよく、しかも薄いので身に付けていても付けた身体が変形することが全くない。
【００１７】
符号２ｄは、股間部を示し、股間部２ｄは左右繋ぎ目２ｂ、２ｃが交差する個所である。男性用の腰痛治療用ガードル１では股間部２ｄに穴が形成されているが、女性用の腰痛治療用ガードル１には穴がない。
【００１８】
図２は、本発明である腰痛治療用ガードルを示し伸縮バンドを巻き付ける前の背面図である。図２に示すように、左伸縮バンド３の二股状に形成されている先端部には、左上係止部材３ａ及び左下係止部材３ｂが取り付けられている。
【００１９】
また、ガードル本体２の背面には、押え部２ｊは存在せず、中央にガードル本体２の上部にある帯２ａから下方に縦方向に股間部２ｄに達する縫着部２ｉが存在する。
【００２０】
図３は、本発明である腰痛治療用ガードルを示し伸縮バンドを巻き付けた後の正面図である。図３に示すように、左右伸縮バンド３、４をガードル本体２の背面を通してガードル本体２の全面で係止して巻き付ける。
【００２１】
右伸縮バンド４の先端部４ａに取り付けられている右係止部材４ｂ上に左伸縮バンド３の先端部に取り付けられている左上係止部材３ａ及び左下係止部材３ｂを係止させることにより身体の腰部に装着することができる。
【００２２】
図４は、本発明である腰痛治療用ガードルを示し伸縮バンドを巻き付けた後の背面図である。図４に示すように、ガードル本体２に取り付けられている左右伸縮バンド３、４は、背面の臀部の中心付近でＸ字状に交差させて巻き付けて使用する。左右伸縮バンド３、４に設けてあるスリット３ｅ、４ｅの部分が広がり臀部を充分に包み込むことにより腰痛を効果的に治療することができる。
【００２３】
図５は、本発明である腰痛治療用ガードルを装着した状態を示した正面図である。右足２ｋを右大腿部２ｇ及び右足挿通口２ｈに入れるとともに、左足２ｌを左大腿部２ｅ及び左足挿通口２ｆに入れる。
【００２４】
その後、右伸縮バンド４を背面を通して巻いて前面の押え部２ｊに当て、次に左伸縮バンド３を背面を通して前面に回して、左伸縮バンド３の二股状に形成されている先端部に取り付けられている左上下係止部材３ａ、３ｂを係止させることにより腰部に装着することができる。
【００２５】
図６は、本発明である腰痛治療用ガードルの男性用ガードルを示し伸縮バンドを巻き付ける前の正面図である。図６に示すように、ガードル本体２の中央部の股間部２ｄの真上に開口部２ｍを設けることにより、男性が本腰痛治療用ガードル１ａを付けた場合に排尿し易くするための構造としたものである。
【００２６】
【発明の効果】
本発明は、以上に説明したような構成であるから以下の効果が得られる。
第１に、本治療用ガードルは、本体に設けられたＶ字状のつなぎ目と、逆三角形状の押し部により圧迫感がない。
【００２７】
第２に、本腰痛治療用ガードルのスリットがある２本の幅広な左右伸縮バンドを臀部で交差させ正面の下腹付近で貼着することで、下腹を押さえて下半身を極めて美しく見せる。
【００２８】
第３に、本腰痛治療用ガードルの股間部に開口部を設けることにより、男性の排尿の際迅速かつ容易に開口することができる。
【００２９】
第４に、本腰痛治療用ガードルの片方の伸縮バンドに取り付けられている係止部材の上部にスリットを入れることで、本腰痛治療用ガードルを装着して前屈みになっても腹部に圧迫感がなく屈みやすい。
【図面の簡単な説明】
【図１】本発明である腰痛治療用ガードルを示し伸縮バンドを巻き付ける前の正面図である。
【図２】本発明である腰痛治療用ガードルを示し伸縮バンドを巻き付ける前の背面図である。
【図３】本発明である腰痛治療用ガードルを示し伸縮バンドを巻き付けた後の正面図である。
【図４】本発明である腰痛治療用ガードルを示し伸縮バンドを巻き付けた後の背面図である。
【図５】本発明である腰痛治療用ガードルを装着した状態を示した正面図である。
【図６】本発明である腰痛治療用ガードルの男性用ガードルを示し伸縮バンドを巻き付ける前の正面図である。
【符号の説明】
１　　　腰痛治療用ガードル
１ａ　　男性用腰痛治療用ガードル
２　　　ガードル本体
２ａ　　帯
２ｂ　　左繋ぎ目
２ｃ　　右繋ぎ目
２ｄ　　股間部
２ｅ　　左大腿部
２ｆ　　左足挿通口
２ｇ　　右大腿部
２ｈ　　右足挿通口
２ｉ　　縫着部
２ｊ　　押え部
２ｋ　　右足
２ｌ　　左足
２ｍ　　開口部
３　　　左伸縮バンド
３ａ　　左上係止部材
３ｂ　　左下係止部材
３ｃ　　左上伸縮バンド
３ｄ　　左下伸縮バンド
３ｅ　　スリット
３ｆ　　伸縮部
３ｇ　　メッシュ部
３ｈ　　伸縮部
３ｉ　　メッシュ部
３ｊ　　伸縮部
４　　　右伸縮バンド
４ａ　　先端部
４ｂ　　右係止部材
４ｃ　　右上伸縮バンド
４ｄ　　右下伸縮バンド
４ｅ　　スリット
４ｆ　　伸縮部
４ｇ　　メッシュ部
４ｈ　　伸縮部
【図１】
2004089566.tif 000003
【図２】
2004089566.tif 000004
【図３】
2004089566.tif 000005
【図４】
2004089566.tif 000006
【図５】
2004089566.tif 000007
【図６】
2004089566.tif 000008